(57)【要約】      （修正有）【課題】二層カーテンの前後層の間隔をより近くさせることができ、遮光効果を向上させることができる二層カーテンに用いられる下部梁アセンブリを提供する。【解決手段】下部梁１と、下部梁の両端に挿着され、対向する第１端と第２端を設け、第１端に下部梁と挿嵌する接続柱２１が設けられ、接続柱の直径が第１エンドキャップ２よりも小さい第１エンドキャップと、第１エンドキャップの第２端と嵌合され、相対的に回転でき、止め部３．１を設ける第２エンドキャップ３と、を含む。接続柱を介して下部梁と挿嵌し、接続柱の直径が第１エンドキャップの直径よりも小さく、従来技術と比較して、下部梁の直径を小さく、細くすることができる。なお、第２エンドキャップの止め部は、下部梁の左右摺動を止めることができることで、二層カーテンが開閉する時でも正常に動作できるよう確保する。【選択図】図３
0003234163.tif 000002
【実用新案登録請求の範囲】
【請求項１】
二層カーテンに用いられる下部梁アセンブリであって、
下部梁と、
前記下部梁の両端に挿着され、対向する第１端と第２端を設け、前記第１端に前記下部梁と挿嵌する接続柱が設けられ、前記接続柱の直径が第１エンドキャップの直径よりも小さい第１エンドキャップと、
前記第１エンドキャップの第２端と嵌合され、相対的に回転でき、止め部を設ける第２エンドキャップと、
を含むことを特徴とする、二層カーテンに用いられる下部梁アセンブリ。
【請求項２】
前記第１エンドキャップの前記第２端内に連結軸が設けられ、前記第２エンドキャップ内に前記連結軸と連結するための軸穴が設けられ、前記連結軸の端部に係止部が設けられ、前記軸穴内に前記係止部に合わせた環状ステップ面が設けられ、前記連結軸の端部には、内側に凹んだ切欠部が設けられることを特徴とする、請求項１に記載の二層カーテンに用いられる下部梁アセンブリ。
【請求項３】
前記止め部は、円弧形シート状を呈し、第２エンドキャップ本体と平行であり、自然な状態において、前記第２エンドキャップ本体の下に位置していることを特徴とする、請求項１に記載の二層カーテンに用いられる下部梁アセンブリ。
【請求項４】
前記下部梁は、丸棒状を呈することを特徴とする、請求項１に記載の二層カーテンに用いられる下部梁アセンブリ。
【請求項５】
前記接続柱の円周方向に少なくとも１つの規制リブが設けられることを特徴とする、請求項１に記載の二層カーテンに用いられる下部梁アセンブリ。
【考案の詳細な説明】
【技術分野】
【０００１】
本考案は、カーテンアクセサリー技術分野に関し、特に、二層カーテンに用いられる下部梁アセンブリに関する。
【背景技術】
【０００２】
一般的な二層カーテンは、カーテン本体を真っ直ぐにするために下端に下部梁が装備され、二層カーテンを上下させる時下部梁を回転させ、かつ下部梁を左右に摺動させる。通常下部梁の摺動を防止するため、下部梁の両端にエンドキャップを取り付け、前記エンドキャップは、連結部と、止め部と、を備え、連結部と下部梁とが挿嵌し、連結部と下部梁との間が相対的に回転できず、下部梁が連結部の回転を連動させ、止め部と連結部とが嵌着し、止め部は連結部に相対的に回転でき、止め部と連結部との間が軸方向に移動できないため、下部梁がカーテン本体に動かされた時連結部の回転を連動させ、止め部が回転せず、かつ止め部が下部梁の回転中の左右摺動を止める。従来技術において、連結部が下部梁内に挿着され、止め部が連結部内に嵌着されるため、下部梁の外径は必然的にエンドキャップ全体の外径よりも大きいことで、下部梁が比較的太くなり、ボトムビームが太くなると、二層カーテンの前後層の間隔が大きくなり、隙間が大きくなると、二層カーテンの遮光効果に影響を与える。このため、下部梁の左右摺動を防止でき、また下部梁の外径を減らすことで、二層カーテンの良好な遮光効果を保証できることが、在現行で解決が急務となっている課題である。
【考案の概要】
【考案が解決しようとする課題】
【０００３】
上記従来技術の現状に着目し、本考案は、下部梁の外径が増加することなく、下部梁の左右摺動を防止できる二層カーテンに用いられる下部梁アセンブリを提供することを、技術的課題とするものである。
【課題を解決するための手段】
【０００４】
上記技術的課題を解決するために講じた本考案の技術的手段として、二層カーテンに用いられる下部梁アセンブリであって、
下部梁と、
下部梁の両端に挿着され、対向する第１端と第２端を設け、前記第１端に下部梁と挿嵌する接続柱が設けられ、前記接続柱の直径が第１エンドキャップの直径よりも小さい第１エンドキャップと、
第１エンドキャップの第２端と嵌合され、相対的に回転でき、止め部を設ける第２エンドキャップと、
を含む。
【０００５】
さらに、前記第１エンドキャップの第２端内に連結軸が設けられ、前記第２エンドキャップ内に連結軸と連結するための軸穴が設けられる。
【０００６】
さらに、前記連結軸の端部に係止部が設けられ、前記軸穴内に係止部に合わせた環状ステップ面が設けられる。
【０００７】
さらに、前記連結軸の端部には、内側に凹んだ切欠部が設けられる。
【０００８】
さらに、前記止め部は、円弧形シート状を呈し、第２エンドキャップ本体と平行であり、自然な状態において、第２エンドキャップ本体の下に位置している。
【０００９】
さらに、前記下部梁は、丸棒状を呈する。
【００１０】
さらに、前記接続柱の円周方向に少なくとも１つの規制リブが設けられる。
【考案の効果】
【００１１】
従来技術と比較すると、本考案の利点として本考案は、接続柱を介して下部梁と挿嵌し、接続柱の直径が第１エンドキャップの直径よりも小さく、従来技術と比較して、下部梁の直径を小さく、細くすることができることで、二層カーテンの前後層の間隔をより近くさせることができ、遮光効果が向上する。なお、第２エンドキャップの止め部は、下部梁の左右摺動を止めることができることで、二層カーテンが開閉する時でも正常に動作できるよう確保する。
【図面の簡単な説明】
【００１２】
【図１】本考案の前面図である。
【図２】本考案の部分的概略構成図である。
【図３】本考案の分解図である。
【図４】本考案の第１エンドキャップ、第２エンドキャップの分解図である。
【図５】二層カーテンに組み立てられた本考案の概略側面図である。
【考案を実施するための形態】
【００１３】
以下に、具体的実施形態を参照しつつ本考案をさらに説明する。
【００１４】
なお、本考案の説明において、用語「中心」、「縦方向」、「横方向」、「長さ」、「幅」、「厚さ」、「上」、「下」、「前」、「後」、「左」、「右」、「鉛直」、「水平」、「頂」、「底」、「内」、「外」、「時計回り」、「反時計回り」、「軸方向」、「半径方向」、「円周方向」などが示した方位又は位置関係は、単に本考案を簡単に説明しやすくするためであり、示された装置又は部材が必ず特定の方位を有し、又は特定の方位で構成され操作することと指示又は示唆するものではないので、本考案に対する限定と理解してはいけない。
【００１５】
なお、用語「第１」、「第２」は単に目的を描写するのに使われており、比較的な重要性を指示又は示唆する、或いは示された技術的特徴の数をそれとなく明示すると理解してはいけない。そこで、「第１」、「第２」が限定されている特徴は一つ又はもっと多くのこの特徴を含むことを明示又はほのめかすものである。更に、本考案において、特に説明される場合を除く、「複数」とは２つ以上のことを意味し、例えば２つ、３つである。
【００１６】
本考案に明記及び指定されていない限り、用語「取り付けられた」、「結合された」、「接合された」、「固定された」等は、広義に解釈すべきであり、例えば、固結であってもよく、取り外し可能な接続又は一体になり；機械的接続であり得、電気的接続であってもよく；直接的接続であり得、中間要素を介して間接的に結合してもよく、２つの要素内部の連通或いは２つの要素の相互作用関係であり得、特に明確な限定がある場合を除く。当業者にとって、具体的状況に応じて本考案における上記用語の具体的意味を理解することができる。
【００１７】
本考案に明記及び指定されていない限り、第２の特徴の「上」又は「下」のにあると説明されている第１の特徴は、第１及び第２の特徴と直接接触し得るか、或いは第１及び第２の特徴が中間要素を介して間接的に接触してもよい。かつ、第２の特徴の「真上に」、「上方に」、及び「上に」あると説明されている第１の特徴は、第２特徴の真上又は斜め上にあるか、若しくは単に第１の特徴の水平高さが第２特徴よりも高いことを意味し得る。第２の特徴の「真下に」、「下方に」、及び「下に」あると説明されている第１の特徴は、第２特徴の真下又は斜め下にあるか、若しくは単に第１の特徴の水平高さが第２特徴よりも低いことを意味し得る。
【００１８】
図１乃至図４に示すように、二層カーテンに用いられる下部梁アセンブリであって、
下部梁１と、
下部梁１の両端に挿着され、対向する第１端と第２端を設け、前記第１端に下部梁１と挿嵌する接続柱２．１が設けられ、前記接続柱２．１の直径が第１エンドキャップの直径よりも小さい第１エンドキャップ２と、
第１エンドキャップ２の第２端と嵌合され、相対的に回転でき、二層カーテンのカーテン本体をブロックすることで、下部梁１の左右摺動を防止するための止め部３．１を設け、前記止め部３．１は円弧形シート状を呈し、第２エンドキャップ３本体と平行であり、自然な状態において、第２エンドキャップ３本体の下に位置し、第２エンドキャップ３と第１エンドキャップ２が相対的に回転でき、止め部３．１が重力作用において常に下向きに回転し、第１エンドキャップ２の回転に連動して二層カーテンのカーテン本体と一緒に巻き上がることはない第２エンドキャップと、を含む。
【００１９】
前記第１エンドキャップ２の第２端内に連結軸２．２が設けられ、前記第２エンドキャップ内に連結軸２．２と連結するための軸穴３．２が設けられ、前記連結軸２．２は軸穴３．２に挿着され、かつ相対的に回転できることで、第２エンドキャップ３と第１エンドキャップ２が相対的に回転できるのを確保し、前記連結軸２．２の端部に係止部２．３が設けられ、前記軸穴３．２内に係止部２．３に合わせた環状ステップ面３．３が設けられ、環状ステップ面３．３と係止部２．３の協働により軸方向規制の役割を果たし、第２エンドキャップ３と第１エンドキャップ２が嵌合された後、相対的に回転することができるが、両者の間で軸方向に動くことができず、滑り落ちを避け、前記連結軸２．２の端部には、内側に凹んだ切欠部２．４が設けられ、前記切欠部２．４の設置により、第２エンドキャップ３と第１エンドキャップ２を嵌合させた時、係止部２．３が切欠部２．４の中心方向へ逃げることができることで、係止部２．３を軸穴３．２に突き抜けらせることができ、軸穴３．２に突き抜けた後、係止部２．３が切欠部２．４の外側方向に向けて元の位置に戻ることで、環状ステップ面３．３と係合して逆向きの滑り落ちを防止する。
【００２０】
前記下部梁１上に接続柱２．１を接続するための穴又は溝或いは空洞が設けられ、前記穴又は溝或いは空洞の横断面は、接続柱２．１の横断面とマッチし、前記接続柱２．１と下部梁１とが締まり嵌めになっているため、緩みによる軸方向の滑り落ちを防ぐことができ、前記接続柱２．１の円周方向に少なくとも１つの規制リブ２．５が設けられ、前記規制リブ２．５の設置により伝動の役割を果たすだけではなく、接続柱２．１と下部梁１の軸方向の接続がより緊密になる。
【００２１】
使用時、図５に示すように、第１エンドキャップ２、第２エンドキャップ３を下部梁１の両端に順次接続させ、次に下部梁１を二層カーテンの前後層のカーテン本体の間に取り付けられ、二層カーテンのカーテン本体の両側を止め部３．１の内側に係止し、下部梁１が重力作用によって垂れ、二層カーテンのカーテン本体を真っ直ぐにする。二層カーテンを上下させる時、下部梁１が転がされ、下部梁１が第１エンドキャップ２の回転を連動させ、第２エンドキャップ３と第１エンドキャップ２が相対的に回転できるため、第２エンドキャップ３が常に止め部３．１を下に保ち、止め部３．１が二層カーテンのカーテン本体をブロックできることで、下部梁１の左右摺動を防止し、第１エンドキャップ２の接続柱２．１の直径が第１エンドキャップの直径よりも小さく、従来技術と比較して、下部梁１の直径を小さく、細くすることができることで、二層カーテンの前後層の間隔をより近くさせることができ、遮光効果が向上する。
【００２２】
最後に上記実施例は、本考案の技術的手段を説明するために使用されるものであり、それらを限定するものではないことに留意されたい。本考案は、前述の実施例を参照して詳細に説明されたが、当業者が前述の実施例に記載された技術的手段を依然として修正するか、又はその中の一部の技術的特徴を均等範囲内で置き換えることができ、これらの修正又は置換は、対応する技術的手段の本質を本考案の実施例の技術的手段の精神および範囲から逸脱するものではないことに理解されたい。
【符号の説明】
【００２３】
１  下部梁
２  第１エンドキャップ
２．１  接続柱
２．２  連結軸
２．３  係止部
２．４  切欠部
２．５  規制リブ
３  第２エンドキャップ
３．１  止め部
３．２  軸穴
３．３  環状ステップ面
【図１】
0003234163.tif 000003
【図２】
0003234163.tif 000004
【図３】
0003234163.tif 000005
【図４】
0003234163.tif 000006
【図５】
0003234163.tif 000007